(57)【特許請求の範囲】
【請求項１】
光ディスクを配置するためのディスク収容部と、
前記光ディスクの中心に嵌り、前記光ディスクを第１の回転方向に回転させる回転駆動部と、
前記光ディスクの回転を抑えるための当接部であって、前記光ディスクの外縁に接する制動位置と、前記光ディスクの外縁から離れた退避位置との間で移動可能であり、前記光ディスクの回転中心と前記制動位置とを通る直線に対して前記第１の回転方向とは反対の方向である第２の回転方向に前記退避位置がずれている、当接部と、
前記当接部を前記退避位置から前記制動位置に向けて付勢するための弾性体と、
前記ディスク収容部を覆う閉位置と前記ディスク収容部を露出させる開位置との間で移動可能なカバーであって、前記閉位置にあるときに前記退避位置から前記制動位置に向かう前記当接部の移動を規制し、前記開位置にあるときに前記当接部の移動規制を解除するカバーと、
前記当接部を有し、前記当接部が前記制動位置と前記退避位置との間で移動するように前記当接部から離れた軸部を中心に回転可能なアームと、を備え、
前記弾性体は、前記当接部が前記制動位置に向けて付勢されるように前記アームに弾性力を付与しており、
前記カバーは前記回転駆動部の回転中心線の方向である第１の方向に対して垂直な第２の方向にスライド可能であり、
前記カバーは係合部を有し、
前記係合部は前記カバーが閉位置にあるときに前記アームに当り前記当接部の移動を規制する
ことを特徴とする電子機器。
【請求項２】
請求項１に記載の電子機器において、
前記軸部の位置は、前記当接部が前記制動位置から前記退避位置に向けた移動開始時に前記第２の回転方向且つ前記光ディスクの半径方向に斜めに動くよう設定されている、
ことを特徴とする電子機器。
【請求項３】
請求項１に記載の電子機器において、
前記カバーは前記第２の方向に沿った縁を有し、
前記第２の方向に沿った縁には前記係合部として突出部が形成されている、
ことを特徴とする電子機器。
【発明の詳細な説明】
【技術分野】
【０００１】
本発明は光ディスクのディスクドライブを備える電子機器に関する。
【背景技術】
【０００２】
光ディスクが利用可能な電子機器には、光ディスクが配置される領域を開閉可能なカバーで覆っているものがある。そのような電子機器では、ディスクドライブが光ディスクを回転させている最中に、ユーザによってカバーが開けられる場合がある。下記特許文献１の電子機器は、カバーが開けられたときに光ディスクの回転を機械的に止めるための制動機構を開示している。制動機構は、光ディスクの外縁に対して光ディスクの半径方向に配置されるパッドを含み、パッドをカバーの開きに連動して光ディスクの外縁に接近させ、光ディスクの外縁に押し付ける。パッドはばねによって光ディスクの外縁に接近する方向に付勢されている。
【先行技術文献】
【特許文献】
【０００３】
【特許文献１】米国特許第７６４７６０２号
【発明の概要】
【発明が解決しようとする課題】
【０００４】
しかしながら、特許文献１の制動機構では、光ディスクの回転によりパッドが受ける力がばねの弾性力に対する反力として作用するため、光ディスクに対する制動力を増すのが難しいという問題があった。
【０００５】
本発明は、光ディスクに対する制動力を比較的容易に増すことができる電子機器を提供することにある。
【課題を解決するための手段】
【０００６】
本発明に係る電子機器は、光ディスクを配置するためのディスク収容部と、前記光ディスクの中心に嵌り、前記光ディスクを第１の回転方向に回転させる回転駆動部と、前記光ディスクの回転を抑えるための当接部であって、前記光ディスクの外縁に接する制動位置と、前記光ディスクの外縁から離れた退避位置との間で移動可能であり、前記光ディスクの回転中心と前記制動位置とを通る直線に対して前記第１の回転方向とは反対の方向である第２の回転方向に前記退避位置がずれている当接部と、前記当接部を前記退避位置から前記制動位置に向けて付勢するための弾性体と、前記ディスク収容部を覆う閉位置と前記ディスク収容部を露出させる開位置との間で移動可能なカバーであって、前記閉位置にあるときに前記退避位置から前記制動位置に向かう前記当接部の移動を規制し、前記開位置にあるときに前記当接部の移動規制を解除するカバーと、を備える。
【０００７】
本発明によれば、光ディスクの回転により当接部が受ける力が当接部を退避位置に戻す力となることを、抑えることができる。その結果、光ディスクに対する制動力を比較的容易に増すことができる。
【図面の簡単な説明】
【０００８】
【図１】本発明の電子機器の斜視図である。
【図２】上ハウジングの要部を示す平面図である。
【図３】図３は上ハウジングの裏面を示す図である。
【図４】アームの動きを示す図である。
【発明を実施するための形態】
【０００９】
以下、本発明の一実施形態について図面を参照しながら説明する。図１は本発明の実施形態に係る電子機器１の斜視図である。
【００１０】
電子機器１は、図１に示すように、当該電子機器１が備える回路基板などの部品を収容するハウジング２を有している。電子機器１は光ディスクＤに格納されたプログラムを実行したり、光ディスクＤに格納された動画像や音声を再生するエンタテインメント装置である。ハウジング２には、上方に開いた凹部であるディスク収容部２Ａが形成されている。ハウジング２は電子機器１が備える部品の上側を覆う上ハウジング２ａを有している。ディスク収容部２Ａは上ハウジング２ａに形成されている。ディスク収容部２Ａに光ディスクＤが配置される。ディスク収容部２Ａの底部には、光ディスクＤに光を照射するディスクドライブ３が配置されている。ディスクドライブ３は、光ディスクＤの中心に形成された穴に嵌り、光ディスクＤを回転させる回転駆動部３ａを有している。この例では、回転駆動部３ａの回転中心線Ｃ１は鉛直方向に沿っている。
【００１１】
電子機器１は、その上面に、ディスク収容部２Ａを覆うためのスライドカバー１０を有している。スライドカバー１０は、ディスク収容部２Ａを覆う閉位置と、ディスク収容部２Ａを露出させる開位置との間で移動可能である（閉位置と開位置は、それぞれ図１（ａ）及び（ｂ）に示すスライドカバー１０の位置である）。スライドカバー１０は、回転駆動部３ａの回転中心線Ｃ１に対して垂直な方向にスライド可能である。そのため、電子機器１の上側にスライドカバーを開くためのスペースの確保が必要とされない。この例では、スライドカバー１０は左右方向にスライド可能である。スライドカバー１０は、例えば、ユーザが当該スライドカバー１０を直接的に押すことで開位置と閉位置との間でスライドする。また、スライドカバー１０は、図示しないボタンの操作により開位置に向けてスライドしてもよい。
【００１２】
この例では、電子機器１は、その上面に、フロントパネル４と、リアパネル５とを有している。フロントパネル４は上ハウジング２ａの前部の上面に取り付けられている。リアパネル５は、上ハウジング２ａの後部の上面に取り付けられている。スライドカバー１０はフロントパネル４とリアパネル５との間に配置され、それらの間でスライド可能となっている。
【００１３】
図２は上ハウジング２ａの要部を示す平面図である。図２においてリアパネル５は取り外され、スライドカバー１０は開位置に配置されている。図３は上ハウジング２ａの裏面を示す図である。図４は後述するアーム２０の動きを示す図である。
【００１４】
図３に示すように、電子機器１は、上ハウジング２ａの裏面にアーム２０を有している。アーム２０はその一方の端部に当接部２１を有している。この例の当接部２１は、アーム２０よりも大きな幅（光ディスクＤの周方向での幅）を有している。当接部２１は制動位置と退避位置との間で移動可能である。図４に示すように、当接部２１は、制動位置において光ディスクＤの外縁に接し、光ディスクＤの回転を抑える。これらの図では、制動位置にある当接部２１が実線で示されている。退避位置は、光ディスクＤの外縁から光ディスクＤの半径方向に離れた位置、すなわち、図４において二点差線で示された当接部２１の位置である。図１（ｂ）に示すように、ディスク収容部２Ａは、光ディスクＤが配置される領域を取り囲む周壁部２ｂを有している。周壁部２ｂには穴２ｃが形成されている。当接部２１は、この穴２ｃの内側を通って制動位置と退避位置との間で移動する。
【００１５】
図４に示すように、アーム２０は当接部２１から離れて位置する軸部２９によって支持されている。アーム２０は、当接部２１が制動位置と退避位置との間で動くように、軸部２９を中心に回転可能となっている。図３に示すように、上ハウジング２ａの裏面には、当接部２１を退避位置から制動位置に向けて付勢するためのばね（弾性体）３１が設けられている。ばね３１は、アーム２０に形成された後述する第１係合部２２に係合し、当接部２１が退避位置から制動位置に向けて付勢されるようにアーム２０にその弾性力を付与している。図２に示すように、スライドカバー１０は、そのスライド方向（この例では左右方向）に沿った縁、具体的には後縁に、ストッパ部１１を有している。ストッパ部１１は、スライドカバー１０が閉位置にあるときに、アーム２０に形成された後述する第２係合部２３に係合し、退避位置から制動位置に向かう当接部２１の移動を規制する。また、ストッパ部１１は、スライドカバー１０が開位置にあるときに、より具体的には閉位置から離れたときに、アーム２０との係合を解消する。これにより、当接部２１の移動規制が解除され、当接部２１は制動位置で光ディスクＤの回転を抑える。
【００１６】
当接部２１の制動位置と退避位置との位置関係について詳説する。この例の回転駆動部３ａは、光ディスクＤを時計回り方向に回転させる（以下において、光ディスクＤの回転方向をディスク回転方向（図４においてＲ１の示す方向）と称する）。図４において、直線Ｌ１は、光ディスクＤの回転中心（すなわち回転駆動部３ａの回転中心線）Ｃ１と制動位置とを通る直線である。例えば、直線Ｌ１は、光ディスクＤの回転中心Ｃ１と、制動位置にある当接部２１と光ディスクＤの接点Ｐ１と、を通る直線である。接点Ｐ１は、例えば、光ディスクＤの周方向における当接部２１の中心に設定される。図４に示すように、当接部２１の退避位置は、直線Ｌ１に対してディスク回転方向Ｒ１とは反対の方向にずれている（以下、ディスク回転方向Ｒ１とは反対の方向を反ディスク回転方向Ｒ２と称する）。
【００１７】
当接部２１は光ディスクＤの外縁に接する面（以下、当接面）２１ａを有している。退避位置は直線Ｌ１に対して反ディスク回転方向Ｒ２にずれているため、当接面２１ａ上の任意の点（例えば、図４においてＰ２）に注目した場合、当接部２１が退避位置にあるときの点Ｐ２の位置は、当接部２１が制動位置にあるときの点Ｐ２の位置よりも反ディスク回転方向Ｒ２に位置している。点Ｐ２は、当接部２１が制動位置から退避位置に向かって移動する過程で、反ディスク回転方向Ｒ２且つ光ディスクＤの半径方向に斜めに移動する。なお、当接面２１ａが光ディスクＤの外縁に合わせて湾曲している場合、直線Ｌ１は当接面２１ａ上の任意の点と光ディスクＤの回転中心Ｃ１とを通る直線でよい。
【００１８】
当接部２１が光ディスクＤを制動している最中に光ディスクＤから受ける力は、当接部２１をディスク回転方向Ｒ１に動かそうとする力となる。制動位置と退避位置との位置関係を上述のように設定することにより、この力がばね３１の弾性力に対する反力となることを抑えることができる。その結果、ばね３１の弾性力を増すことなく、光ディスクＤについて十分な制動力を得ることが可能となる。
【００１９】
上述したように、アーム２０は軸部２９によって回転可能に支持されている。そのため、当接部２１は軸部２９を中心にして制動位置と退避位置との間で動き、その軌跡は軸部２９を中心とする円上に形成される。当接部２１は、制動位置から退避位置に向かう移動を開始する際、この円の接点Ｐ１での接線Ｌ２に沿った方向に動き出す。そして、この接線Ｌ２における光ディスクＤの外縁よりも外側の部分である半直線は、直線Ｌ１に対して反ディスク回転方向Ｒ２に傾斜している。軸部２９の位置は接線Ｌ２がこのように傾斜するように設定されている。具体的には、軸部２９は直線Ｌ１に対して反ディスク回転方向Ｒ２に位置する。また、軸部２９の位置は、接点Ｐ１を通り接線Ｌ２に対して垂直な直線Ｌ３上に設定される。この例では、軸部２９の位置は直線Ｌ３上であり、且つ、ディスク収容部２Ａを避けた上ハウジング２ａの裏面の位置に設定されている。
【００２０】
上述したように、軸部２９は当接部２１から離れて位置している。この例では、当接部２１はアーム２０の一方の端部に設けられ、軸部２９はアーム２０の他方の端部に設けられている。軸部２９は上ハウジング２ａの裏面に取り付けられている。図３に示すように、アーム２０は、その両端の間に、第１係合部２２を有している。ばね３１は第１係合部２２に係合し、当接部２１が退避位置から制動位置に向けて付勢されるようにアーム２０に弾性力を付与している。この例のばね３１はトーションばねである。ばね３１は軸部２９に巻き付けられ、その一方の端部に形成されたアーム３１ｂは上ハウジング２ａの裏面に形成されたばね受け２ｄに固定されている。また、他方の端部に形成されたアーム３１ａはアーム２０の第１係合部２２に係合している。
【００２１】
図２に示すように、アーム２０は、その両端の間に、第２係合部２３を有している。スライドカバー１０のストッパ部１１は、スライドカバー１０が閉位置に配置されているときに第２係合部２３に係合し、退避位置から制動位置に向かう当接部２１の移動を規制する。この例では、図２に示すように、上ハウジング２ａは、第２係合部２３に対応する位置に開口２ｅを有している。第２係合部２３は開口２ｅを通して上方に突出している。スライドカバー１０のストッパ部１１は、スライドカバー１０の後縁からスライドカバー１０に沿った方向、換言すると、上ハウジング２ａの上面に沿った方向（この例では後方）に突出している。ストッパ部１１は、スライドカバー１０が閉位置にあるときに第２係合部２３に当り、制動位置から退避位置に向かう方向（この例では後方）に、アーム２０を押す。なお、ストッパ部１１は、スライドカバー１０が開位置にあるときに第２係合部２３と対向する部分に、斜面１１ｂを有している。これにより、スライドカバー１０が開位置から閉位置に向けて移動する際、第２係合部２３は斜面１１ｂにあたり、アーム２０は円滑に回転する。なお、スライドカバー１０のストッパ部１１と、上ハウジング２ａに形成された開口２ｅは、上述のリアパネル５によって覆われる。
【００２２】
このように、ばね３１の弾性力を受ける部分である第１係合部２２と、ストッパ部１１が当る部分である第２係合部２３と、当接部２１は共通のアーム２０に形成されている。これにより、構造の簡素化を図ることができている。
【００２３】
図２に示すように、軸部２９から第２係合部２３までの距離は、軸部２９から第１係合部２２までの距離よりも大きい。そのため、光ディスクＤに対する制動力を増すために弾性力の大きなばね３１を採用した場合であっても、スライドカバー１０を比較的小さな力で開位置から閉位置に移動できる。特にこの例のアーム２０は、軸部２９と当接部２１との間で湾曲している。具体的には、アーム２０は光ディスクＤから離れる方向に膨らむように湾曲している。そのため、第２係合部２３の位置の自由度を増すことができている。スライドカバー１０を開位置から閉位置に移動する際に要する力、すなわち、ばね３１の弾性力に抗してアーム２０を動かすのに要する力は、軸部２９から第２係合部２３までの距離に依存する。第２係合部２３の位置の自由度を増すことで、アーム２０を動かすのに要する力の調整が容易となっている。この例のアーム２０は、軸部２９から離れるにしたがって回転駆動部３ａの中心線Ｃ１からの距離が大きくなる第１アーム部２０ａと、第１アーム部２０ａから回転駆動部３ａに向かって、換言すると、光ディスクＤの外縁に向かって延びる第２アーム部２０ｂとを含んでいる。上述の第２係合部２３は第１アーム部２０ａの端部側に形成され、リアパネル５によって覆われる。
【００２４】
以上説明したように、電子機器１では、当接部２１の退避位置は、直線Ｌ１に対してディスク回転方向とは反対の方向に設定されている。そのため、比較的容易に光ディスクＤについて十分な制動力を得ることが可能となる。
【００２５】
電子機器１はアーム２０を有している。アーム２０は、当接部２１を有し、且つ当接部２１が制動位置と退避位置との間で移動するように当接部２１から離れた軸部２９を中心に回転可能となっている。ばね３１は、当接部２１が制動位置に向けて付勢されるようにアーム２０に弾性力を付与している。このようなアーム２０を利用することにより、簡単な構造の制動機構が実現され得る。
【００２６】
軸部２９の位置は、当接部２１が制動位置から退避位置に向けた移動開始時に反ディスク回転方向Ｒ２且つ光ディスクＤの半径方向に斜めに動くよう設定されている。これによれば、光ディスクＤの回転により当接部２１が受ける力が当接部２１を退避位置に戻す力となることを、より確実に抑えることができる。
【００２７】
スライドカバー１０は回転駆動部３ａの回転中心線Ｃ１に対して垂直な方向である左右方向にスライド可能であり、スライドカバー１０の左右方向に沿った縁（この例では後縁）には、ストッパ部１１が形成され、ストッパ部１１は、スライドカバー１０が閉位置にあるときにアーム２０に当り当接部２１の移動を規制している。この構造によれば、電子機器１の周りに大きなスペースを要することなく、スライドカバー１０を開閉できる。
【００２８】
なお、本発明は以上説明した電子機器１に限られず、種々の変更が可能である。
【００２９】
例えば、本発明は、軸部を中心に開閉可能なカバーを有する電子機器に適用されてもよい。
【００３０】
また、第１係合部２２、第２係合部２３及び当接部２１は必ずしも共通のアーム２０に形成されなくてもよい。例えば、軸部２９から延びる複数のアームが形成され、それぞれに第１係合部２２、第２係合部２３、当接部２１が設けられてもよい。
【００３１】
また、電子機器１では、当接部２１は、軸部２９によって回転可能に支持されたアーム２０に設けられている。しかしながら、当接部２１は直線移動可能にガイドされた部材に設けられてもよい。
【００３２】
また、トーションばねであるばね３１に替えて、コイルばねが利用されてもよい。
【符号の説明】
【００３３】
１  電子機器、２  ハウジング、２Ａ  ディスク収容部、３  ディスクドライブ、３ａ  回転駆動部、１０  スライドカバー、１１  ストッパ部、２０  アーム、２１  当接部、２２  第１係合部、２３  第２係合部、２９  軸部。
【図１】
0005996243.tif 000002
【図２】
0005996243.tif 000003
【図３】
0005996243.tif 000004
【図４】
0005996243.tif 000005